(57)【要約】【課題】ユーザーが平易な方法でまつ毛へ搬送されるべきマスカラの量を予め決定可能で、特に不必要に多いマスカラの塗布を避けることが出来るようにマスカラブラシを改良する。【解決手段】多数のブラシ毛（４）を備えて成るマスカラブラシ（１）。該ブラシ毛は、１つの共通するハンドル部（５）から延びる、少なくとも２つの湾曲したコア部を備えるブラシ毛担持体により保持されている。マスカラブラシ（１）を製造する方法において、２つのコア（２，３）は同時に、曲げ機の曲げプランジャ（１２）と対のプランジャ（１３）の間で曲げられる。マスカラブラシのためには延形のマスカラ拭き取り口を備えたマスカラ保存容器が使用可能である。その結果、マスカラ・ブラシ（１）は良好な、塗布すべきマスカラの量を予め決められる。より良好なコーミング成果並びにカール効果をも達成可能である。【選択図】　　図１
2004065962.tif 000002
【特許請求の範囲】
【請求項１】
コアを形成する２本の捻じり合わされたワイヤー片の間に保持された多数のブラシ毛を備えて成り、コアが湾曲したコア部分を有するマスカラ・ブラシにおいて、
１本の共通するハンドル部（５）から延びる少なくとも２つの湾曲したコア（２，３）を備えることを特徴とするマスカラ・ブラシ。
【請求項２】
前記コア（２，３）が本質的に同じ曲げ半径を有することを特徴とする請求項１に記載のマスカラ・ブラシ。
【請求項３】
前記ハンドル部（５）に隣接する前記コア（２，３）の移行部分（６，７）が、前記ハンドル部（５）に対して異なる移行角度を占めること特徴とする請求項１または２に記載のマスカラ・ブラシ。
【請求項４】
前記ハンドル部（５）が、前記コア（２，３）の延長たる、ブラシ毛のない互いに捻じり合わされたワイヤー片により形成されていることを特徴とする請求項１〜３のいずれか一項に記載のマスカラ・ブラシ。
【請求項５】
前記ハンドル部（５）近傍の前記コア（２，３）のブラシ毛（９）のない部分が、互いに平行に配置され且つ連結されていることを特徴とする請求項１に記載のマスカラ・ブラシ。
【請求項６】
起点（Ｅ）において交差する前記コア（２，３）の２本の接線（Ｔ２，Ｔ３）の間の角度βが０°より大きいことを特徴とする請求項１に記載のマスカラ・ブラシ。
【請求項７】
前記コア（２，３）のブラシ毛の包絡面（８，９）が、以下の形状：
−円筒形、
−樽形、
−片側あるいは両側が先細りの切頭円錐形、
−切頭円錐形、
−中央がくびれた形、
−中央がくびれ、両側が細くなった切頭円錐形
の一つであること特徴とする請求項１に記載のマスカラ・ブラシ。
【請求項８】
前記コア（２，３）のブラシ毛の包絡面（８，９）が、以下の横断面形状：
−円形、
−楕円形、
−三角形、特に角を丸くした三角形、
−矩形、特に正方形、特に角を丸くした正方形、
の一つであること特徴とする請求項１に記載のマスカラ・ブラシ。
【請求項９】
前記ブラシ毛（４）がプラスチック繊維あるいは天然繊維から成ることを特徴とする請求項１に記載のマスカラ・ブラシ。
【請求項１０】
前記ハンドル部（５）が中央で、或いは中央を外れて、ステム部分に固定されていることを特徴とする請求項１に記載のマスカラ・ブラシ。
【請求項１１】
ステム部分の直径が１．８ｍｍから５．０ｍｍの範囲であることを特徴とする請求項１に記載のマスカラ・ブラシ。
【請求項１２】
前記湾曲したコア（２，３）に代えて、前記２つのコアの少なくとも１つが真っ直ぐなコアであることを特徴とする請求項１に記載のマスカラ・ブラシ。
【請求項１３】
−１本の共通するハンドル部（５）から延びる少なくとも２つの真っ直ぐなコアを備えるような、未加工のブラシを製造すること；
−前記コアを、凸面の曲げプランジャ（１２）とこれと本質的に対をなす凹面プランジャ（１３）とを備えた曲げ機に挿入すること；
−前記コアを曲げ、この際に曲げプランジャ（１２）と対のプランジャ（１３）とを互いに向かって近づくよう、次いで互いから離れるように動かすこと；
−前記コア（２，３）を曲げ機から取り出すこと；
を特徴とするマスカラ・ブラシの製造方法。
【請求項１４】
マスカラ保存容器（１４）の中にマスカラ・ブラシ（１）を挿入可能である円形のマスカラ拭き取り口（１７）を備えて成るマスカラ保存容器（１４）であって、請求項１〜７のいずれか一項に記載のマスカラ・ブラシ（１）のためのマスカラ保存容器の使用法。
【発明の詳細な説明】
【０００１】
【発明の属する技術分野】
本発明は請求項１の上位概念に従うマスカラ・ブラシ、請求項１３の上位概念に従うマスカラ・ブラシの製造方法、並びにマスカラ保存容器の使用に関するものである。
【０００２】
【従来の技術】
【特許文献１】
ＤＥ１９８４７７３３Ａ１
このタイプのマスカラ・ブラシは特許文献１より公知である。この様なマスカラ・ブラシを使用する際には、マスカラ・ブラシがマスカラを装填され過ぎて（含み過ぎて）しまうために、まつ毛に余分なマスカラが塗布されてしまうという問題がしばしば生じる。更に、この様なマスカラ・ブラシは、満足すべきコーミング（梳き）機能を備えていないことが多い。特に、上まつ毛が下まぶたに向かって真っ直ぐ下に伸びている場合には、公知のマスカラ・ブラシは、これに加えて、満足すべきまつ毛の曲げ効果、換言すれば、充分なカール効果をも備えていない。この問題はとりわけアジア女性に顕著である。
【０００３】
【発明が解決しようとする課題】
従って本発明の根底をなす課題は、ユーザーが平易な方法でまつ毛へ搬送されるべきマスカラの量を予め決定可能であり、特に不必要に多いマスカラの塗布を避けることが出来るように、このタイプのマスカラ・ブラシを改良することにある。更に、コーミング成果並びにカール効果も改良されるべきである。
【０００４】
【課題を解決するための手段】
この課題は本発明に従い、請求項１に記載された特徴部分を備えたマスカラ・ブラシにより解決される。
【０００５】
本発明に従い、少なくとも２つのコア（ワイヤー芯）を有するマスカラ・ブラシにおいては、マスカラ・ブラシにより受容されたマスカラがより良好な配分され得ることが判明している。従って、まつ毛に塗布されるマスカラの量はより適切に決定され得る。２つの湾曲したコアが互いに平行に配置されるならば、メイクアップ行程におけるコーミング成果も改善される。請求項１２に従う、コアのうち少なくとも１つが真っ直ぐなマスカラ・ブラシを使用した場合においても、マスカラの塗布および配分に関して改善することが可能である。特に、２つのコアを備えるマスカラ・ブラシを使用した場合、マスカラ・ブラシのブラシ部分の横断面形状が回転対称ではないため、マスカラ・ブラシにマスカラを非対称乃至不均一に含ませることが可能となる。この場合、湾曲したコアの凸状の表面（上側）は殆どマスカラを含んでいないため、化粧を修正するために、特に余分なマスカラを取り除くために使用され得る。塗布する際に、２つのコアを平行に用いるならば、マスカラはかなり厚く塗布される。２つのコアの凹状の下面を用いて、より良好なカール効果が達成され得る。
【０００６】
請求項１２に従い、マスカラ・ブラシは平易に製造される。
【０００７】
請求項３に従う異なった移行角度乃至転移角度（ｔｒａｎｓｉｔｉｏｎ　ａｎｇｌｅｓ）がコアを分離する。このコアの分離は（マスカラの）装填、コーミング、クリーニングに用いられる、ブラシの軸線に沿ったブラシ面のバリエーションをもたらす。このバリエーションは同時にまた、メイクアップ行程の微調整にも用いられる。
【０００８】
請求項４に従うハンドル部は容易に製造され得る。
【０００９】
請求項５に従う、ハンドル部からすぐに分離されはじめているコアは、ハンドル部近傍においても、更に拡大された塗布面を備えたマスカラ・ブラシを可能にする。
【００１０】
請求項６に従って湾曲されたコアは、マスカラ塗布に関して特に有利であることが判明している。
【００１１】
これは請求項７および８に従うブラシの毛の包絡面の特別な幾何学形状にも、請求項９に従う繊維素材にも当てはまる。
【００１２】
請求項１０に従う取付けのヴァリエーションにより、マスカラ・ブラシのハンドル（握り手）とコアの間のずれの大きさを設定することが可能であり、特にマスカラを塗布する際の取り扱いを平易にする。
【００１３】
請求項１１に従うステム部分の直径は、堅牢性と取り扱いの利便性との間に、適切な折衷案を提供する。
【００１４】
本発明の別の課題は、少なくとも２つの湾曲したコアを備えたマスカラ・ブラシの製造方法を提供することである。
【００１５】
この課題は本発明に従い、請求項１３に従う製造方法により解決される。
【００１６】
このような製造方法は、コアを同時に曲げることが可能であり、結果として製造に必要な行程の数を減らすことが出来る。
【００１７】
更に本発明のもう１つの課題は、本発明に従うマスカラ・ブラシと共に使用するマスカラ保存容器を提供することにある。
【００１８】
この課題は本発明に従い、請求項１４に基づき、本発明に従うマスカラ・ブラシのために公知のマスカラ保存容器を使用することにより解決される。
【００１９】
本発明に従い、円形のマスカラ拭き取り口を備えた、適切なサイズに定められた、公知のマスカラ保存容器が使用可能であることが判明している。何故ならば、円形のマスカラ拭き取り口と、本発明に従うマスカラ・ブラシの通例では横断面において回転非対称なブラシ毛部分との協働により、マスカラ・ブラシにマスカラが希望通りに、非対称に充填され、ブラシ毛の包絡面の凸面は、凹面よりも少なくマスカラを含むからである。
【００２０】
【発明の実施の形態】
以下に、本発明を好適な実施例を基に、図面を用いて詳細に説明する。
図１中の符号１を付されたマスカラ・ブラシは２つのコア２，３を備える。該コアの典型的な直径は０．６ｍｍから２．０ｍｍの間であり、夫々、まつ毛にマスカラを塗布するための多数のブラシ毛４を備える。コア２，３は夫々、互いに捻じり合わされた２本のワイヤー片を備えて成り、該ワイヤー片の間にブラシ毛４が公知の方法で保持されている。捻じり合わされたワイヤー片のワイヤーの直径は０．４ｍｍから１．０ｍｍの間である。個々のワイヤー片は図示されない。ブラシ毛４はコア２，３に沿って、本質的に同一の長さを有する。典型的なブラシ毛の長さは２．５ｍｍから８ｍｍの範囲である。前述したブラシ毛４は合成繊維であるが、天然繊維のブラシ毛であっても良い。また、ブラシ毛の長さに関して、前述したコア２，３の間には差異がない。マスカラ・ブラシの変形例（図示せず）においては、コアに沿って様々な長さのブラシ毛及び／又は長さの異なるブラシ毛を有したコアを備えていても良い。
【００２１】
２つのコア２，３は、図１および図２に暗示されるように、ブラシ毛を備えないハンドル（握り手）部５において、互いに捻じり合わされている。このハンドル部は図１では右方向に延在し、マスカラ・ブラシ１のハンドル（図示せず）を形成している。この時、ハンドル部５は中央でステム（軸）部分（図示せず）と連結されている。或いはまた、この連結がハンドル部５の中央から外れた場所で行われても良い。ステム部分は２．８ｍｍの直径を有する。マスカラ・ブラシの別の実施形態においては、ステム部分の直径は１．８ｍｍから５．０ｍｍであっても良い。
【００２２】
コア２，３は、ハンドル部５に隣接するコア２，３の移行部分（ｔｒａｎｓｉｔｉｏｎ　ｓｅｃｔｉｏｎｓ）６，７と、ハンドル部５に対向するその端部との間で、約３０ｍｍの曲げ半径をもって、互いに平行で且つハンドル部５の縦軸線に対しては鉛直な軸線周回を、両コア２，３が雄山羊の角のようになるように曲げられている。この屈曲乃至湾曲に基づき、コア２，３のブラシ毛４のブラシ毛外郭線乃至包絡面８，９は凹面１０および凸面１１を備えて成る。互いに平行な軸線周回を曲げられていることから、結果として、図２の側面図のように、曲げ軸線に対して鉛直であり、同時にハンドル部縦軸線に対して鉛直である視点から見た場合、ブラシ毛の包絡面８，９は互いに同一面上に置かれている。
【００２３】
図１乃至図４から明らかなように、ブラシ毛４がコア２，３に沿って本質的に同一の長さを有しているので、伸ばした状態において、コア２，３のブラシ毛の包絡面は筒形である。マスカラ・ブラシの別の変形例（図示せず）においては、ブラシ毛の包絡面はコアを伸ばした状態において次の形状を有していても良い：円筒形、樽形、片側あるいは両側が先細りの切頭円錐形、切頭円錐形、中央がくびれた形、中央がくびれて片側あるいは両側が細くなった切頭円錐形。
【００２４】
図１乃至図４に図示されたマスカラ・ブラシ１のブラシ毛の包絡面の横断面は円形である。マスカラ・ブラシの別の変形例（図示せず）においては、ブラシ毛の包絡面の横断面は以下の形状を有していても良い：楕円形、三角形、特に角を丸くした三角形、長方形、特に正方形、特に角を丸くした正方形。
【００２５】
典型的には、コア２，３は、移行部分６，７とハンドル部５に対向する端部の間において同一の長さを有する。ハンドル部５に隣接したコア２，３の移行部分６，７は、ハンドル部５の縦軸線に対し様々な移行角度をとる。この時、ハンドル部５に対する移行部分６の移行角度ａは、典型的には１０°と２０°の間である。移行部分７とハンドル部５との移行角度は０°である。
【００２６】
ハンドル部５の上に起点Ｅは画定され得る。ここでハンドル部５の領域は終わり、この内側で２つのコア２，３は互いに捻じり合わされている。２つのコア２，３は、起点Ｅから、図１においては左方向へ、分離し始める。起点Ｅからコア２，３の曲がった中央軸線に沿って、２本の接線Ｔ２，Ｔ３を引くことが出来る。接線Ｔ２，Ｔ３の間の角度βは、図１の実施例においては約１０°である。マスカラ・ブラシの他の実施形態（図示せず）においては角度βは別の値、例えば約２０°から０°の間であって良い。
【００２７】
マスカラ・ブラシの図示された実施例では両コア２，３共に曲がっている。これに代えて、２つのコアのうち少なくとも１つが真っ直ぐに形成されていても良い。
【００２８】
マスカラ・ブラシ１は以下のように製造される。
【００２９】
まず最初に、真っ直ぐなコア２，３を備える未加工のブラシが製造される。この時、個々の真っ直ぐなコアは、周知の方法で、２本のワイヤー片を捻じることにより製造され、このワイヤー片の間にブラシ毛４が保持されている。続いて、２つの真っ直ぐなコアが、好ましくは、ハンドル部５において互いに捻じり合わされる。その結果、移行部分６，７とハンドル部５の縦軸線の間に、上述した移行角度が生じる。この製造段階において、２つの真っ直ぐなコア２，３は、ハンドル部５と共に、好ましくはＹ字型形状を成す。
【００３０】
続いて、未加工のブラシの真っ直ぐなコアは曲げ機（ｂｅｎｄｉｎｇ　ｔｏｏｌ）に挿入される。凸面の曲げプランジャ（ｃｏｎｖｅｘ　ｂｅｎｄｉｎｇ　ｐｌｕｎｇｅｒ；ｋｏｎｖｅｘｅｒ　Ｂｉｅｇｅｓｔｅｍｐｅｌ）１２と対をなす凹面の曲げプランジャ１３が図１中に概略的に、部分的に図示されている。曲げプランジャ１２と対のプランジャ１３の曲げ半径は約１０ｍｍである。この時、凸面の曲げプランジャ１２の曲げ半径は、対のプランジャ１３の曲げ半径よりごく僅かに小さい。曲げプランジャ１２と対のプランジャ１３は互いに向かって近づくように、次に互いから離れるように動かされ、その結果、元々真っ直ぐであったコアは曲げられ、図１に図示された形状となる。
【００３１】
最後に、マスカラ・ブラシ１は曲げ機から取り出される。
【００３２】
コア２，３の希望する最終形状に応じて、未加工のブラシを曲げ機に挿入する際、ハンドル５の縦軸線周回で適切に回転させても良い。その結果、ブラシ毛の包絡面８，９の真っ直ぐな面が、図２に従い同一面上に配列され、或いはまた、図示されてはいないが、ブラシ毛の包絡面８，９の凹面１０と凸面１１が各々互いに一列に配列される。この第２の変形例に従うマスカラ・ブラシは、図１に従う側面図において、コア２，３の曲げ軸線に対して平行な視点をもって見たとすると、図３に図示されるように唯一のコア２のみを有するかのような外観を呈する。この視界とハンドル部５に対して鉛直な視界において、この種のマスカラ・ブラシがこの視界においては真っ直ぐなコア２，３をもってＹ字型の形状を成しているならばより好ましい。マスカラ・ブラシの更に別の変形例（同様に図示せず）においては、２つのコアが一番最後に言及された視野において、本質的に一定の間隔を置いて、互いに平行に延在するように配置されている。この場合、コア２，３のブラシ毛を備えない部分もハンドル部５と平行に配置され、連結される。
【００３３】
図５および図６にマスカラ・ブラシ１を使用するためのマスカラ保存容器１４を示す。図５および図６の縮尺と図１乃至図４の縮尺は一致していない。マスカラ保存容器１４は縦長の、実質的に円筒形の基本形を有し、端面に設けられたネジ部１５を備え、これに閉じキャップ（図示せず）がネジ止め可能である。ネジ部１５の内径は２．８ｍｍである。マスカラ保存容器の別の変形実施例（図示せず）においては、ネジ部の直径は１．８ｍｍから５ｍｍの範囲であって良い。ネジ部１５には、ネジ部と連結されている拭き取りスリーブ１６が、公知の方法で組み込まれている。拭き取りスリーブ１６が弾性を備えた素材製、或いはＬＤＰＥのようなソフト・プラスチック製であればより好ましい。拭き取りスリーブはマスカラ保存容器１４の内部に向かって先が細くなり、外縁を形成する拭き取りエッジ部１８により画定されている円形のマスカラ拭き取り口１７を成している。マスカラ拭き取り口１７の直径は２．６ｍｍである。マスカラ保存容器の他の変形例においては、この直径は１．８ｍｍから５．０ｍｍの範囲であって良い。
【００３４】
上に述べた、ブラシ毛の包絡面の横断面が円形ではないマスカラ・ブラシの変形例において、拭き取りスリーブ１６並びにマスカラ拭き取り口１７の横断面は、夫々のブラシ毛の包絡面の横断面と適合している。
【図面の簡単な説明】
【図１】暗示された曲げ機のプランジャに挟まれた、本発明に従うマスカラ・ブラシの側面図である。
【図２】図１のマスカラ・ブラシの別の側面図である。
【図３】図１および図２のマスカラ・ブラシの単一コアの図１および図２に対応する側面図である。
【図４】図１および図２のマスカラ・ブラシの単一コアの図１および図２に対応する側面図である。
【図５】図１および図２のマスカラ・ブラシを使用するためのマスカラ保存容器の縦断面図である。
【図６】図５のマスカラ保存容器のマスカラ拭き取り口を備えた端面の平面図である。
【符号の説明】
１　　　　マスカラ・ブラシ
２，３　　コア
４　　　　ブラシ毛
５　　　　ハンドル部
６，７　　移行部分
８，９　　ブラシ毛の包絡面
【図１】
2004065962.tif 000003
【図２】
2004065962.tif 000004
【図３】
2004065962.tif 000005
【図４】
2004065962.tif 000006
【図５】
2004065962.tif 000007
【図６】
2004065962.tif 000008